(57)【特許請求の範囲】
【請求項１】
ガス排出口を有し、両端が閉塞された筒状ハウジングと、前記筒状ハウジングの一端部側に取り付けられた点火手段とを有しており、
前記筒状ハウジング内には、前記点火手段に近い位置において、第１ガス発生剤が充填された第１ガス発生剤室が設けられており、さらに前記第１ガス発生剤室に対して軸方向に隣接する空間には筒状フィルタが配置され、前記筒状フィルタ内には第２ガス発生剤が充填された第２ガス発生剤室が設けられており、
前記第１ガス発生剤室と前記第２ガス発生剤室との間にはリテーナが配置されており、
前記リテーナが、環状平面と、環状平面の内周縁から突設された環状周壁面とを有しており、前記環状周壁面が、前記環状平面に近い部分の大径周壁面と、残部の複数の開口を有する小径周壁面からなっているものであり、前記環状平面が前記筒状フィルタの一端面に当接され、前記環状周壁面が、前記大径周壁面が前記筒状フィルタの内周面に当接され、前記小径周壁面と前記筒状フィルタの内周面との間に隙間が形成されるように配置されており、
前記第２ガス発生剤室の内径が、前記第１ガス発生室の内径よりも小さくなっている、ガス発生器。
【請求項２】
前記リテーナが、第１ガス発生剤室内に配置された筒状のスペーサに当接されており、
前記スペーサが、一端側が前記筒状ハウジングの閉塞部に当接され、他端側が前記リテーナの環状平面に当接されている、請求項１記載のガス発生器。
【請求項３】
前記点火手段が、前記筒状ハウジングの一端部を閉塞する部材に取り付けられた点火器と伝火薬を有し、
前記伝火薬が、前記点火器に被せられた、フランジ部を有するカップ部材内に充填され、前記フランジ部が前記閉塞部材に当接されており、
前記リテーナが、第１ガス発生剤室内に配置された筒状のスペーサに当接されており、前記スペーサが、一端側が前記フランジ部に当接され、他端側が前記リテーナの環状平面に当接されている、請求項１記載のガス発生器。
【請求項４】
前記第２ガス発生剤室の容量（Ｖ１）が前記第１ガス発生剤室の容量（Ｖ２）よりも大きい、請求項１〜３のいずれか１項記載のガス発生器。
【発明の詳細な説明】
【技術分野】
【０００１】
本発明は、自動車両に搭載するエアバッグシステム等の人員拘束装置に使用するガス発生器に関する。
【背景技術】
【０００２】
車両に搭載する人員拘束装置の一つに、衝突衝撃から乗員を保護するエアバッグシステムが知られている。このエアバッグシステムには、エアバッグを膨張させるガス発生器が使用されており、ガス発生器自体の形状や機構は運転席用エアバッグシステム、助手席用エアバッグシステム、側面衝突用エアバッグシステム等によって様々な仕様のものが知られている。
【０００３】
助手席側エアバッグ装置に使用されるガス発生器は、前面ガラス又はダッシュボードと乗員の間隔が広いため、展開されるバッグ容量が運転席側のエアバッグと比較して大きく、120リットル、150リットルのものが使用されている。そして、助手席側のエアバッグ装置に使用されるガス発生器は、一般にダッシュボードに埋め込まれるため、ガス発生器の形状もシリンダー状の軸方向に長いハウジングを有したものが使用される。軸方向に長いシリンダ状ハウジングを有する火工式（パイロ）ガス発生器のものについては、特許文献１〜３がある。
【０００４】
特許文献１では、長尺ハウジングのガス発生器１０が開示されており、その一端部に点火器１３が取り付けられている。ガス発生剤１６はハウジングの一端部に比較的容量の大きいガス発生剤収容空間と、フィルタ内部に形成された小径部分の両方に配置されており、中央部分にはさらに縮径された通路２０が形成されている。このため、点火装置１２によってハウジングの一端部から燃焼開始したガス発生剤は、反対端部まで消尽するのに時間がかかる。特に中央部分に縮径通路２０が形成されており、燃焼の伝播、進行には不向きな構造となっている。
【０００５】
特許文献２は、伝火チューブを使用することで、点火器から離れたガス発生剤の着火性を向上させるものである。この発明であれば、点火器から離れたガス発生剤の着火性は向上できるが、伝火チューブを配置する必要から、ガス発生剤の充填量が制限され、小型化や大出力化には向かない構造である。
【０００６】
特許文献３の図１に示す構造では、中空円筒部材２０によって、筒状ハウジング１内部をガス発生剤４が存在する燃焼室Ｇと、フィルタ２１が収容された冷却濾過室Ｆに分けている。中空円筒部材２０は、フランジ部２０ｂと、フィルタ２１内部に伸びガス通過孔２０ａが形成された胴部２０ｅからなるもので、胴部２０ｅはフィルタ２１の内側全体を覆うように配置されている。特許文献３の構造では、中空円筒部材２０の内部が何も存在しない空間となっており、ガス発生剤の小型化には向かない構造である。また、助手席エアバッグ用のガス発生器等のガス排出量の大きいガス発生器に対しては不向きである。
【特許文献１】ドイツ４００５７６８ A1
【特許文献２】特開平６−２２７３５７号公報
【特許文献３】特開平９−２２６５０８号公報
【発明の開示】
【発明が解決しようとする課題】
【０００７】
本発明は、シリンダ形状のハウジングを有するガス発生器であり、ガス発生剤の着火性が良く、ガス排出量も大きなガス発生器を提供することを課題とする。
【課題を解決するための手段】
【０００８】
〔請求項１〕
本発明は、ガス排出口を有し、両端が閉塞された筒状ハウジングと、前記筒状ハウジングの一端部側に取り付けられた点火手段とを有しており、
前記筒状ハウジング内には、前記点火手段に近い位置において、第１ガス発生剤が充填された第１ガス発生剤室が設けられており、さらに前記第１ガス発生剤室に対して軸方向に隣接する空間には筒状フィルタが配置され、前記筒状フィルタ内には第２ガス発生剤が充填された第２ガス発生剤室が設けられており、
前記第１ガス発生剤室と前記第２ガス発生剤室との間にはリテーナが配置されており、前記リテーナが、環状平面と、環状平面の内周縁から突設された環状周壁面とを有しているものであり、前記環状平面が前記筒状フィルタの一端面に当接され、前記環状周壁面が前記筒状フィルタの一端面側の内周壁の一部に当接されており、
前記第２ガス発生剤室の内径が、前記第１ガス発生室の内径よりも小さくなっている、ガス発生器を提供する。
【０００９】
本発明では、点火手段に近い方に第１ガス発生剤が充填された第１ガス発生剤室が配置され、遠い位置に第２ガス発生剤が充填された第２ガス発生室が配置されている。そして、第２ガス発生剤室の内径は、第１ガス発生室の内径よりも小さくなっているので、第１ガス発生剤室と第２ガス発生剤室の間に径の小さな縮径部が設けられていることになる。
【００１０】
このため、点火手段（例えば、電気式点火器のみ又は電気式点火器と伝火薬の組み合わせ）が作動したとき、まず第１ガス発生剤室内の第１ガス発生剤が燃焼し、発生した燃焼ガスは縮径部の作用により、流速が高められた状態になり、第２ガス発生剤室内に流れ込み易くなるため、特許文献２のような伝火チューブを使わなくても点火手段から離れた位置にある第２ガス発生剤の着火燃焼が円滑になされる。そして、第１ガス発生剤と第２ガス発生剤が燃焼して発生した燃焼ガスは、筒状フィルタを通り、冷却・濾過された後、ガス排出口から流出して、エアバッグが膨張される。また、伝火チューブを使用しないことでガス発生剤室の容積を大きくすることができ、ガス発生剤の充填量を増やすことができる。
【００１１】
更に、筒状フィルタは、筒状ハウジングの長さ方向の一部に配置されているため、筒状ハウジングの長さ方向の全体に配置した場合に比べて、全体の大きさを変えることなく、ガス発生剤の充填量（即ち、ガス排出量）を増加させることができる。
【００１２】
〔請求項２〕
本発明は、前記リテーナが、環状平面と環状周壁面を有しており、前記環状周壁面が、前記環状平面に近い部分の大径周壁面と、残部の複数の開口を有する小径周壁面からなっており、
前記大径周壁面が前記筒状フィルタの内周面に当接され、前記小径周壁面と前記筒状フィルタの内周面との間に隙間が形成されている、請求項１記載のガス発生器を提供する。
【００１３】
このように筒状フィルタを支持するリテーナの小径周壁面は複数の開口を有しており、前記小径周壁面と筒状フィルタの内壁面との間には間隙が形成されている。このため、燃焼ガスがフィルタに流入するとき、前記小径周壁面に形成された開口からも燃焼ガスが流入し易くなり、フィルタの濾過効率が向上される。
【００１４】
このように小径周壁面に形成された開口から流入したガスは、そのまま正対位置にある筒状フィルタを通って、ガス排出口から排出されることになる。このため、第１ガス発生室内の燃焼ガスの全てが第２ガス発生剤室内に流入し、第２ガス発生剤を燃焼させた後、全ての燃焼ガスが筒状フィルタを通ってガス排出口から排出される場合と比べると、燃焼ガスの排出開始時間を早めることができるため、エアバッグの膨張開始時間を早めることができる。
【００１５】
また、発生したガスの一部を小径周壁面に形成された開口から逃がすことから、ハウジング内圧を過度に上昇させることがない。更に、第１ガス発生剤室から縮径された第２ガス発生剤室に燃焼ガスが移動するとき、ガスの流速が上がることでフィルタに負荷がかかるが、リテーナの環状平面と環状周壁面がフィルタを覆っていることで、前記負荷によるフィルタの損傷が防止される。なお、小径周壁部に形成された開口に代えて、リテーナの第２ガス発生剤室側の周面端部が切りかかれ、凹凸が形成されているものでもよい。
【００１６】
〔請求項３〕
本発明は、前記リテーナが、第１ガス発生剤室内に配置された筒状のスペーサで当接されており、
前記スペーサが、一端側が前記筒状ハウジングの閉塞部に当接され、他端側が前記リテーナの環状平面に当接されている、請求項１又は２記載のガス発生器を提供する。
【００１７】
リテーナを筒状のスペーサに当接させることにより、リテーナを単独で固定する場合と比べると、固定作業が容易になる。また、リテーナとスペーサの間からの燃焼ガスのショートパスも防止される。
【００１８】
〔請求項４〕
本発明は、前記点火手段が、前記筒状ハウジングの一端部を閉塞する部材に取り付けられた点火器と伝火薬を有し、
前記伝火薬が、前記点火器に被せられた、フランジ部を有するカップ部材内に充填され、前記フランジ部が前記閉塞部材に当接されており、
前記リテーナが、第１ガス発生剤室内に配置された筒状のスペーサに当接されており、前記スペーサが、一端側が前記フランジ部に当接され、他端側が前記リテーナの環状平面に当接されている、請求項１又は２記載のガス発生器のガス発生器を提供する。
【００１９】
点火手段として、電気式点火器と伝火薬を使用する形態であり、伝火薬の収容空間を形成するためにフランジ部を有するカップ部材が使用されている。そして、リテーナ、筒状のスペーサ及びカップ部材が、相互に関連して取り付けられていることで、各部品の取付作業が容易になる。
【００２０】
〔請求項５〕
本発明は、前記第２ガス発生剤室の容量（Ｖ１）が前記第１ガス発生剤室の容量（Ｖ２）よりも大きい、請求項１〜４のいずれか１項記載のガス発生器を提供する。
【００２１】
ガス発生剤の充填空間の容量を大きくでき、ガス発生剤の充填量を多くすることができるようになるため、助手席エアバッグ用ガス発生器のようなガス排出量の大きいガス発生器にも適している。
【発明の効果】
【００２２】
本発明のガス発生器は、シリンダ形状のハウジングであり、伝火チューブを使用していなくても、ガス発生剤全体の着火性が向上されており、ガス発生剤量を減少させることなく、小型化することができる。
【発明を実施するための最良の形態】
【００２３】
（１）図１、図２のガス発生器
図１は、本発明のガス発生器１０の軸方向断面図、図２は、図１の部分拡大図である。図１のガス発生器は、助手席エアバッグ用ガス発生器に適している。
【００２４】
筒状ハウジング１２の一端開口部側は、閉塞部材１４で閉塞されている。閉塞部材１４は、第１突起１５ａにより固定されており、必要に応じてＯリング等のシール部材を配置してもよい。
【００２５】
筒状ハウジング１２の他端開口部側には、点火器３１が取り付けられたボス３０が配置されている。点火器は公知の電気式点火器であり、ボス３０への取り付け方も、公知の方法（例えば、樹脂により点火器３１とボス３０を一体化する方法）で取り付けられている。ボス３０の周壁面３０ａには環状の溝３３が形成され、Ｏリング３６が嵌め込まれている。
【００２６】
ボス３０の筒状ハウジング１２側表面には、伝火薬を収容するカップ状容器４０が配置されている。カップ状容器４０は、底面４０ａ、周壁面４０ｂ、周壁面４０ｂから半径方向外側に延びたフランジ４０ｃを有している。底面４０ａと周壁面４０ｂには、それぞれ複数の連通孔４１が形成されている。
【００２７】
カップ状容器４０の内部には、伝火薬（図示せず）が充填されている。伝火薬は公知のボロン硝石を使用してもよく、燃焼温度が比較的高いガス発生剤を使用してもよい。カップ状容器４０の内部空間の容積は約６ｍｌで、特開２００５−１９９８６７号公報で示す燃焼温度の高いガス発生剤が６ｇ充填されている。
【００２８】
筒状ハウジング１２の周壁面には、ガス排出口１６が複数形成されており、内側からシールテープ１７で閉塞されている。
【００２９】
筒状ハウジング１２内には、ガス排出口１６に対向するように筒状のフィルタ２０が配置されている。筒状フィルタ２０とハウジング１２の内壁面との間には、間隙２２が形成されている。筒状フィルタ２０の第１端面２０ａは閉塞部材１４に当接されている。
【００３０】
筒状ハウジング１２内部は、点火器３１が配置されている空間（筒状フィルタ２０が配置されていない空間）が第１ガス発生剤室６０であり、筒状フィルタ２０で周囲が囲まれた空間（軸方向は、閉塞部材１４からフィルタの第２端面２０ｂまで）が第２ガス発生剤室７０である。第１ガス発生剤室６０には第１ガス発生剤６１が充填され、第２ガス発生剤室７０には第２ガス発生剤７１が充填されている。
【００３１】
筒状フィルタ２０の第２端面２０ｂ側には、リテーナ５０が配置されている。リテーナ５０は、環状平面５１と、環状平面５１の内周縁から突設された環状周壁面５３を有している。環状周壁面５３は、環状平面５１に近い部分の大径周壁面５３ａと、残部の複数の開口５５を有する小径周壁面５３ｂからなっている。環状周壁面５３の長さは約１２ｍｍである。
【００３２】
リテーナ５０は、環状平面５１が筒状フィルタ２０の第２端面２０ｂに当接され、大径周壁面５３ａが筒状フィルタ２０の内周面に当接されており、小径周壁面５３ｂと筒状フィルタ２０の内周面との間には隙間５４が形成されている。小径周壁面５３ｂの開口５５は、前記隙間５４に正対する位置にあり、直径３ｍｍの穴が１２個均等間隔に開いている。
【００３３】
リテーナの環状周壁面５３の長さは、筒状フィルタ２０の長さの１０〜３０％が好ましく、１０〜２０％がより好ましい。前記範囲を満たすことにより、第２ガス発生剤７１の着火性が向上でき、ガス発生器の作動時にハウジング内圧が過度に上昇することが抑制される。
【００３４】
第１ガス発生剤室６０の内径（第２端面２０ｂに接した部分の径）（ｄ１）と第２ガス発生剤室７０の内径（＝筒状フィルタの内径）（ｄ２）は、ｄ１＞ｄ２の関係にあり、ｄ２／ｄ１は特に制限されるものではないが、０．９５〜０．５０の範囲であることが好ましい。なお、筒状フィルタ２０のみであると、燃焼ガスは第２端面２０ｂを通過して、ガス排出口１６から排出されてしまうが、リテーナ５０を配置することにより、環状平面５１により前記経路を通過しての排出が防止される（ショートパスの防止作用）。
【００３５】
第１ガス発生剤室６０は、容積が２４ｍｌであり、特開２００５−１９９８６７号公報に記載されている燃焼温度の低い第１ガス発生剤６１が２４ｇ充填されている。第２ガス発生剤室７０には、第１ガス発生剤６１と同じ第２ガス発生剤７１が６０ｇ充填されている。筒状ハウジング１２内の空間の長さ（閉塞部材１４からボス３０までの長さ）は、第１ガス発生剤室６０の長さの４倍程度にすることができる。
【００３６】
第１ガス発生剤室６０には、リテーナ５０を支持している筒状のスペーサー８０が配置されている。スペーサー８０は、周壁部８０ａ、両端開口部のそれぞれが内側に折り曲げられた第１環状平板部８０ｂと第２環状平板部８０ｃを有している。周壁部８０ａの一部には、環状の凹部８１が形成されており、周壁部８０ａと第１環状平板部８０ｂとの間には、補強のためのリブ８２が形成されている。リブは、周壁部８０ａと第２環状平板部８０ｃとの間にも形成してよい。
【００３７】
周壁部８０ａの大部分は、筒状ハウジング１２の内壁面に当接され、第１環状平板部８０ｂは、カップ状容器のフランジ４０ｃに当接され、第２環状平板部８０ｃは、リテーナの環状平面５１に当接されている。リテーナの環状平面５１とカップ状部材のフランジ４０ｃとの間隔は約２７ｍｍである。
【００３８】
次に、リテーナ５０、スペーサ８０、カップ状容器４０の取り付け及び固定方法を説明する。
【００３９】
治具を用いて、筒状ハウジング１２内にリテーナ５０とスペーサ８０を所定位置まで挿入した後、第２突起１５ｂと第３突起１５ｃを形成して固定する。
【００４０】
その後、スペーサ８０の第１環状平板部８０ｂとフランジ４０ｃが重なるように、カップ状容器４０（内部に伝火薬が充填されている）と点火器３１が取り付けられたボス３０を配置した後、かしめ部１２ｂを形成して、リテーナ５０とスペーサ８０を固定する。この状態では、リテーナ５０とスペーサ８０が軸方向から押圧されているため、環状平面５１と第２環状平板部８０ｃが互いに圧接されている。このため、環状平面５１と第２環状平板部８０ｃの接触部分から燃焼ガスが漏れることがない（ショートパス防止作用）。また、環状凹部８１に第３突起１５ｃが嵌合した状態になり、スペーサ８０のがたつきも防止される。
【００４１】
次に、第１突起１５ａが形成された筒状ハウジング１２にフィルタ２０を挿入する。その後、ガス発生剤６１、７１を充填し、閉塞部材１４を第１突起１５ａに当てた状態で、かしめ部１２ａを形成する。フィルタ２０として軸方向に圧縮可能なものを使用すると、かしめ部１２ａを形成したときに、両端部２０ａ、２０ｂが閉塞部材１４とリテーナの環状平面５１に圧接されるため、それぞれの接触面からのショートパスが防止される。
【００４２】
次に、図１、図２のガス発生器の動作を説明する。点火器３１の作動によってカップ状容器４０内部の伝火薬が燃焼する。このとき燃焼生成物（高温ガス、火炎）が連通孔４１を通過して、第１ガス発生剤室６０に充填された第１ガス発生剤６１を着火させる。連通孔４１はカップ状容器４０の底面４０ａと周壁面４０ｂに形成されており、第１ガス発生剤６１は、一斉に着火、燃焼を開始する。
【００４３】
第１ガス発生剤６１の燃焼によって発生した高温ガス及び火炎は、リテーナ５０によって縮径された部分を通って第２ガス発生剤室７０内に入り、そこに存在する第２ガス発生剤７１を着火させる。
【００４４】
このとき、リテーナ５０によって形成された縮径部によって高温ガスや火炎がフィルタ内側空間に流れ込む流速が増大されると共に、リテーナの環状周壁面５３の作用により、第２ガス発生室７０内にある程度強制的に高温ガス流を送り込むことができるため、閉塞部材１４側に存在する第２ガス発生剤７１も燃焼しやすくなり、短時間のうちに消尽する。なお、リテーナ５０により縮径された部分の燃焼ガスの流速が増大しても、リテーナ５０がフィルタの第２端面２０ｂを保護するカバーの作用をするため、流速の増大によるフィルタ２０の熱的損傷が抑制される。
【００４５】
一方、リテーナの環状周壁面５３が余り長くないため、第１ガス発生剤６１の燃焼ガスの一部は、閉塞部材１４側へは届かず、開口５５を通ってフィルタ２０から間隙２２を経てガス排出口１６から排出され、ハウジング内圧の過度の上昇が抑制される。特に、小径周壁面５３ｂには開口５５が形成され、フィルタ２０との間に隙間５４が形成されているため、燃焼ガスはフィルタ２０内側のほとんど全領域からフィルタを通過することができ、フィルタの冷却、浄化効率が維持される。
【００４６】
このような動作がなされることによって、
（i）ハウジング内部での圧力の上昇を抑制できること
（ii）フィルタの浄化、冷却効率を高いレベルで維持できること
（iii）従来のような伝火チューブを使用しなくても、点火手段から離れた位置にあるガス発生剤を着火、燃焼できること
（iv）伝火チューブを省略できるので、ハウジング内部の容積を多くとり、ガス発生剤の充填量を増やすことができ、これより大容量のエアバッグや高出力が要求されるガス発生器に対応できること、
という作用効果が得られる。
【００４７】
（２）図３のガス発生器
図３により、別実施形態のガス発生器を説明する。図３は、図２に相当する図面であり、図１に示すガス発生器とは、リテーナとスペーサが異なっており、他は同一である。
【００４８】
リテーナ１５０は、環状平面１５１と、環状平面１５１の内周縁から突設された内側環状周壁面１５３と、環状平面１５１の外周縁から反対側に突設された外側環状周壁面１５４を有している。内側環状周壁面１５３は、環状平面１５１に近い部分の大径周壁面１５３ａと、残部の複数の開口１５５を有する小径周壁面１５３ｂからなっている。
【００４９】
リテーナ１５０は、環状平面１５１が筒状フィルタ２０の第２端面２０ｂに当接され、大径周壁面１５３ａが筒状フィルタ２０の内周面に当接されており、小径周壁面１５３ｂと筒状フィルタ２０の内周面との間には隙間５４が形成されている。そして、外側環状周壁面１５４が筒状ハウジング１２の内壁面に当接されている。小径周壁面１５３ｂの開口１５５は、前記隙間５４に正対する位置にある。
【００５０】
第１ガス発生剤室６０には、リテーナ１５０を支持している筒状のスペーサー１８０が配置されている。スペーサー１８０は、大径周壁部１８０ａ、小径周壁部１８０ｃ、ボス３０側の開口部が内側に折り曲げられた第１環状平板部１８０ｂを有している。大径周壁部１８０ａと第１環状平板部１８０ｂとの間には、補強のためのリブ１８２が形成されている。
【００５１】
大径周壁部１８０ａは、筒状ハウジング１２の内壁面に当接され、第１環状平板部８０ｂは、カップ状容器のフランジ４０ｃに当接され、他端開口部周縁は、リテーナの環状平面１５１に当接されている。
【００５２】
筒状フィルタ２０、リテーナ１５０、スペーサ１８０、カップ状容器４０は、図１、図２のものと同様にして、かしめ部１２ａ、１２ｂ、第１突起１５ａ、第２突起１５ｂ、第３突起１５ｃにより、軸方向や半径方向に押圧されているので、相互に圧接され、固定されている。
【００５３】
（３）図４のガス発生器
図４により、別実施形態のガス発生器を説明する。図４は、図２に相当する図面であり、図１に示すガス発生器とは、リテーナが、図１に示すリテーナとスペーサが一体に形成されたものである点で異なっており、他は同一である。
【００５４】
リテーナ２００は、図１に示すリテーナ５０とスペーサ８０が一体になった、全体が筒状のものである。
【００５５】
リテーナ２００は、筒状周壁部２０１と、筒状周壁部２０１の一端開口部側が内側に折り曲げられた第１環状平板部２０２と、筒状周壁部２０１の他端開口部側が内側に折り曲げられた第２環状平板部２０３と、第２環状平板部２０３の内周縁から突設された環状周壁面２０４を有している。
【００５６】
環状周壁面２０４は、第２環状平板部２０３に近い部分の大径周壁面２０４ａと、残部の複数の開口２０５を有する小径周壁面２０４ｂからなっている。筒状周壁部２０１の一部には、環状の凹部２０６が形成されており、筒状周壁部２０１と第１環状平板部２０２との間には、補強のためのリブ２０７が形成されている。
【００５７】
リテーナ２００は、第２環状平板部２０３が筒状フィルタ２０の第２端面２０ｂに当接され、大径周壁面２０４ａが筒状フィルタ２０の内周面に当接されており、小径周壁面２０４ｂと筒状フィルタ２０の内周面との間には隙間５４が形成されている。小径周壁面２０４ｂの開口２０５は、前記隙間５４に正対する位置にある。そして、第１環状平板部２０２がカップ状容器のフランジ４０ｃに当接され、筒状周壁部２０１の大部分が筒状ハウジング１２の内壁面に当接されている。
【００５８】
筒状フィルタ２０、リテーナ２００、カップ状容器４０は、図１、図２のものと同様にして、かしめ部１２ａ、１２ｂ、第１突起１５ａ、第２突起１５ｂ、第３突起１５ｃにより、軸方向や半径方向に押圧されているので、相互に圧接され、固定されている。なお、第２突起１５ｂをやや深めに形成したり矩形にしたりして、リテーナの第２環状平板部２０３を当接し易くすることで、第３突起１５ｃや環状の凹部２０６を形成しないようにしてもよい。
【図面の簡単な説明】
【００５９】
【図１】本発明のガス発生器の軸方向断面図。
【図２】図１の部分拡大図。
【図３】他実施形態の図２に相当する部分拡大図。
【図４】さらに他実施形態の図２に相当する部分拡大図。
【符号の説明】
【００６０】
１０  ガス発生器
１２  筒状ハウジング
１６  ガス排出口
２０  筒状フィルタ
３０  ボス
３１  点火器
４０  カップ状容器
５０  リテーナ
６０  第１ガス発生剤室
６１  第１ガス発生剤
７０  第２ガス発生剤室
７１  第２ガス発生剤
８０  スペーサ
【図１】
0005020785.tif 000002
【図２】
0005020785.tif 000003
【図３】
0005020785.tif 000004
【図４】
0005020785.tif 000005